(57)【要約】【課題】複数の地点から一部を選択すると共に選択した地点の情報をユーザに提示する地点情報表示の技術において、個々の地点に訪れることについてユーザが考える適切さを、情報提示の対象となる地点の選択に反映させる。【解決手段】車両用ナビゲーション装置は、複数のメモリ地点のそれぞれについて、当該メモリ地点を訪問することの適切さについての付加情報（図２参照）の、ユーザによる入力を、グラフィカルユーザインターフェースを用いてインタラクティブに受け付け、受け付けた入力に係る付加情報を、当該メモリ地点を特定する情報と関連付けて、メモリ地点データの１つのレコードに記録する。また、複数の地点のそれぞれについての付加情報に基づいて、複数の地点のうち一部の地点を選択し、選択した当該一部の地点の情報をユーザに提示する。【選択図】図２
2008008648.tif 000002
【特許請求の範囲】
【請求項１】
複数の地点のそれぞれについて、当該地点を訪問することの適切さについての情報（以下、訪問適切性情報という）の、ユーザによる入力を受け付ける訪問適切性情報受付手段と、
前記訪問適切性情報受付手段が受け付けた入力に係る前記訪問適切性情報を、当該地点を特定する情報と関連付けて記憶媒体に記録する記録手段と、
前記複数の地点のそれぞれについての前記訪問適切性情報に基づいて、前記複数の地点のうち一部の地点を選択する選択手段と、
前記選択手段が選択した前記一部の地点の情報をユーザに提示する情報提示手段と、を備えた地点情報提示装置。
【請求項２】
前記訪問適切性情報は、地点を訪問することに対するユーザの欲求の高さの情報を含むことを特徴とする請求項１に記載の地点情報提示装置。
【請求項３】
前記訪問適切性情報は、地点を訪問することがより適切となるための条件を示す情報を含むことを特徴とする請求項１または２に記載の地点情報提示装置。
【請求項４】
前記訪問適切性情報に対する絞り込み条件のユーザによる入力を受け付ける絞込条件受付手段を備え、
前記選択手段は、さらに前記絞込条件受付手段が受け付けた入力に係る前記絞り込み条件に基づいて、前記複数の地点のうち前記一部の地点を選択することを特徴とする請求項１ないし３のいずれか１つに記載の地点情報提示装置。
【請求項５】
自らの現在位置を特定する現在位置特定手段を備え、
前記選択手段は、さらに前記複数の地点のそれぞれについての、前記現在位置特定手段が特定した前記現在位置からの距離に基づいて、前記複数の地点のうち前記一部の地点を選択することを特徴とする請求項１ないし４のいずれか１つに記載の地点情報提示装置。
【請求項６】
前記情報提示手段は、前記一部の地点の情報を、前記一部の地点のそれぞれについての前記訪問適切性情報と共に、ユーザに提示することを特徴とする請求項１ないし５のいずれか１つに記載の地点情報提示装置。
【請求項７】
複数の地点のそれぞれについて、当該地点を訪問することの適切さについての情報（以下、訪問適切性情報という）の、ユーザによる入力を受け付ける訪問適切性情報受付手段、
前記訪問適切性情報受付手段が受け付けた入力に係る前記訪問適切性情報を、当該地点を特定する情報と関連付けて記憶媒体に記録する記録手段、
前記複数の地点のそれぞれについての前記訪問適切性情報に基づいて、前記複数の地点のうち一部の地点を選択する選択手段、および、
前記選択手段が選択した前記一部の地点の情報をユーザに提示する情報提示手段として、コンピュータを機能させる地点情報提示プログラム。
【発明の詳細な説明】
【技術分野】
【０００１】
本発明は、地点情報提示装置および地点情報提示プログラムに関する。
【背景技術】
【０００２】
従来、複数の地点に関する情報を記憶し、ユーザの要求に応じて、これら複数の地点のうち一部の地点の情報を選択して提示する地点情報提示装置が複数提案されている（例えば特許文献１〜６参照）。これらの地点情報提示装置は、ある地点がユーザの要求にどの程度合致しているかを、あらかじめその地点に付与された情報に基づいて特定している。
【特許文献１】２００４―３４０７５７号公報
【特許文献２】２００３―３０８４０７号公報
【特許文献３】２００２―１８１５７６号公報
【特許文献４】２００１―１５３６７２号公報
【特許文献５】２００４―３０９３６８号公報
【特許文献６】２０００―２６６５５１号公報
【発明の開示】
【発明が解決しようとする課題】
【０００３】
ところで、それぞれの地点について、その地点にユーザが訪れることがどの程度適切であるか、またはどのようなときに適切であるかを、ユーザが独自に判断している場合がある。例えば、雨の日に行きたいレストランはレストランＹであるとユーザが考える場合がある。また例えば、今一番興味のある地点はＡ地点で、次に興味のある地点がＢ地点である、とユーザが考える場合がある。また、恋人と一緒に訪れる遊園地は遊園地Ｄであると考える場合がある。
【０００４】
このような、個々の地点に訪れることについてユーザが考える適切さを、提示する情報の選択に反映することは、従来の地図表示装置においてはできない。
【０００５】
本発明は上記点に鑑み、複数の地点から一部を選択すると共に選択した地点の情報をユーザに提示する地点情報表示の技術において、個々の地点に訪れることについてユーザが考える適切さを、情報提示の対象となる地点の選択に反映させることを目的とする。
【課題を解決するための手段】
【０００６】
上記目的を達成するための本発明の特徴は、地点情報提示装置が、複数の地点のそれぞれについて、当該地点を訪問することの適切さについての訪問適切性情報の、ユーザによる入力を受け付け、受け付けた入力に係る訪問適切性情報を、当該地点を特定する情報と関連付けて記憶媒体に記録する。また、地点情報提示装置は、複数の地点のそれぞれについての訪問適切性情報に基づいて、複数の地点のうち一部の地点を選択し、選択した当該一部の地点の情報をユーザに提示する。
【０００７】
このように、地点情報提示装置は、ユーザから、各地点を訪問することの適切さについての訪問適切性情報を受けて記録し、その訪問適切性情報に基づく地点の選択を行う。したがって、地点情報提示装置は、個々の地点に訪れることについてユーザが考える適切さを、情報提示の対象とする地点の選択に反映させることができる。
【０００８】
また、訪問適切性情報は、地点を訪問することに対するユーザの欲求の高さの情報を含むようになっていてもよいし、地点を訪問することがより適切となるための条件を示す情報を含むようになっていてもよい。
【０００９】
また、地点情報提示装置は、訪問適切性情報に対する絞り込み条件の入力を受け付けるようになっていてもよい。このとき、地点情報提示装置は、さらに受け付けた入力に係る絞り込み条件に基づいて、複数の地点のうち一部の地点を選択するようになっていてもよい。このようになっていることで、訪問地適切性情報の入力時、および、絞り込み条件の入力時の二度の機会において、ユーザは、訪問地点に対する自らの意向を直接入力することができる。
【００１０】
また、地点情報提示装置は、自らの現在位置を特定する機能を有していてもよい。このとき、地点情報提示装置は、複数の地点のそれぞれの現在位置からの距離に基づいて、複数の地点のうち一部の地点を選択するようになっていてもよい。このようになっていることで、地点情報提示装置の所在位置に応じたより適切な地点の選択を行うことができるようになる。
【００１１】
また、地点情報提示装置は、一部の地点の情報を、当該一部の地点のそれぞれについての訪問適切性情報と共に、ユーザに提示するようになっていてもよい。このようになっていることで、ユーザは、自らが過去に入力した訪問適切性情報を、再度確認することができるようになる。
【００１２】
また、本発明の特徴は、複数の地点のそれぞれについて、当該地点を訪問することの適切さについての訪問適切性情報の、ユーザによる入力を受け付ける訪問適切性情報受付手段、当該訪問適切性情報受付手段が受け付けた入力に係る当該訪問適切性情報を、当該地点を特定する情報と関連付けて記憶媒体に記録する記録手段、当該複数の地点のそれぞれについての当該訪問適切性情報に基づいて、当該複数の地点のうち一部の地点を選択する選択手段、および、当該選択手段が選択した当該一部の地点の情報をユーザに提示する情報提示手段として、コンピュータを機能させる地点情報提示プログラムとしても、捉えることができる。
【発明を実施するための最良の形態】
【００１３】
（第１実施形態）
図１に、本発明の第１実施形態に係る車両用ナビゲーション装置１のハードウェア構成を示す。この車両用ナビゲーション装置１は、位置検出器１１、画像表示装置１２、操作スイッチ群１３、スピーカ１４、ＲＡＭ１５、ＲＯＭ１６、地図データ取得部１７、および制御回路１８を有している。
【００１４】
位置検出器１１は、いずれも周知の図示しない地磁気センサ、ジャイロスコープ、車速センサ、およびＧＰＳ受信機等のセンサを有しており、これらセンサの各々の性質に基づいた、車両の現在位置や向きを特定するための情報を制御回路１８に出力する。画像表示装置１２は、制御回路１８から出力された映像信号に基づいた映像を、ユーザが視認できるように表示する。
【００１５】
操作スイッチ群１３は、車両用ナビゲーション装置１に設けられた複数のメカニカルスイッチ、画像表示装置１２の表示面に重ねて設けられたタッチパネル等の入力装置から成り、ユーザによるメカニカルスイッチの押下、タッチパネルのタッチに基づいた信号を制御回路１８に出力する。
【００１６】
地図データ取得部１７は、ＨＤＤ等の不揮発性の記憶媒体およびそれら記憶媒体に対してデータの読み出しおよび書き込みを行う装置から成り、制御回路１８が実行するプログラム、経路案内用の地図データ、メモリ地点データ等を記憶している。
【００１７】
地図データは、道路データおよび施設データを有している。道路データは、リンクの位置情報、種別情報、ノードの位置情報、種別情報、および、ノードとリンクとの接続関係の情報等を含んでいる。施設データは、施設毎のレコードを複数有しており、各レコードは、対象とする施設の名称情報、所在位置情報、地番情報、電話番号情報、郵便番号情報、施設種類情報等を示すデータを有している。
【００１８】
メモリ地点データは、地図上の複数の地点のそれぞれについての各種情報を有している。具体的には、メモリ地点データは、それぞれが１つの地点（以下、メモリ地点という）に対応する複数の地点レコードを有している。各地点レコードは、対象とするメモリ地点の位置、名称情報、所在地番情報、施設種別（レストラン、書店、遊園地等の区分）情報、電話番号情報、アイコン種別情報、登録日時情報、付加情報（訪問適切性情報の一例に相当する）を含んでいる。
【００１９】
なお、アイコン種別情報とは、当該メモリ地点を地図画像上に示すときの絵柄（すなわちアイコン）の種別を特定する情報である。地図データ取得部１７は、複数の種別のそれぞれに対応する複数のアイコンのデータを有している。また、登録日時情報は、その地点レコードが新たにメモリ地点データに追加された日時を示す。
【００２０】
付加情報は、当該メモリ地点を訪問することの適切さについてのユーザの評価を反映する情報である。１つの付加情報は、それぞれが１つの付加情報カテゴリに対応する複数のフィールドを有している。１つの付加情報カテゴリについてのフィールドは、当該付加情報カテゴリに対する値を有している。
【００２１】
図２に、複数の付加情報カテゴリと、それら付加情報カテゴリについての評価値の例とを対応付けた表を示す。この図に示すように、付加情報カテゴリとしては、訪問欲求度、同行者条件、訪問目的条件、季節条件、天候条件、および期間条件がある。
【００２２】
訪問欲求度の値は、１から５までの５段階の数値であり、その値が高いほど、ユーザが当該メモリ地点を訪問したい度合いが高いことを示す。この訪問欲求度は、地点を訪問することに対するユーザの欲求の高さの情報の一例に相当する。なお、訪問欲求度の取りうる値としては、１から５までのいずれにも属さないデフォルト値もある。
【００２３】
同行者条件の値は、同行者の種別（同行者なし、デート相手、家族、友人等）を指定する値である。そして、その値が指定する同行者と車両に同乗する場合には、当該地点を訪問することがより適切となることを示している。なお、同行者条件の取りうる値としては、同行者を問わないこと、すなわち、同行者がいてもいなくても、どのような同行者があっても、当該地点を訪問することの適切さは変わらないことを示すデフォルト値もある。
【００２４】
訪問目的条件の値は、訪問の目的（遊び、仕事、通院、買い物等）を指定する値である。そして、その値が指定する目的をユーザが持っている場合には、当該地点を訪問することがより適切となることを示している。なお、訪問目的条件の取りうる値としては、訪問目的を問わないこと、すなわち、どのような訪問目的があっても当該地点を訪問することの適切さは変わらないことを示すデフォルト値もある。
【００２５】
季節条件の値は、訪問するときの季節を指定する値である。そして、その値が指定する季節においては、当該地点を訪問することがより適切となることを示している。なお、季節条件の取りうる値としては、季節を問わないこと、すなわち、どのような季節に訪問しても当該地点を訪問することの適切さは変わらないことを示すデフォルト値もある。
【００２６】
天候条件の値は、訪問するときの天候を指定する値である。そして、その値が指定する天候下では、当該地点を訪問することがより適切となることを示している。なお、天候条件の取りうる値としては、天候を問わないこと、すなわち、どのような天候下で訪問しても当該地点を訪問することの適切さは変わらないことを示すデフォルト値もある。
【００２７】
期間条件の値は、訪問する期間を指定する値である。そして、その値が指定する期間内においては、当該地点を訪問することがより適切となることを示している。なお、期間条件の取りうる値としては、期間を問わないこと、すなわち、どのような期間に訪問しても当該地点を訪問することの適切さは変わらないことを示すデフォルト値もある。
【００２８】
同行者条件、訪問目的条件、季節条件、天候条件、および期間条件のそれぞれの値は、地点を訪問することがより適切となるための条件を示す情報に相当する。
【００２９】
制御回路（コンピュータに相当する）１８は、ＲＯＭ１６または地図データ取得部１７から読み出した車両用ナビゲーション装置１の動作のためのプログラムを実行し、その実行の際にはＲＡＭ１５、ＲＯＭ１６、および地図データ取得部１７から情報を読み出し、ＲＡＭ１５および地図データ取得部１７に対して情報の書き込みを行い、位置検出器１１、画像表示装置１２、操作スイッチ群１３、およびスピーカ１４と信号の授受を行う。
【００３０】
制御回路１８がプログラムを実行することによって行う具体的な処理としては、現在位置特定処理、目的地特定処理、誘導経路算出処理、経路案内処理、メモリ地点登録処理、メモリ地点編集処理、全般設定処理等がある。
【００３１】
現在位置特定処理は、位置検出器１１からの信号に基づいて、周知のマップマッチング等の技術を用いて車両の現在位置や向きを特定する処理である。
【００３２】
目的地特定処理は、ユーザによる操作スイッチ群１３の操作に基づいて、１つの地点を目的地として特定する処理である。この目的地特定処理の詳細については後述する。
【００３３】
誘導経路算出処理は、現在位置特定処理によって特定した現在位置、および目的地特定処理によって特定した目的地に基づいて、当該現在位置から当該目的地までの最適な誘導経路を算出する処理である。
【００３４】
経路案内処理は、地図データ取得部１７から地図データを読み出し、算出された誘導経路、目的地、および現在位置等をこの地図データの示す地図上に重ねた画像を、画像表示装置１２に出力し、案内交差点の手前に自車両が到達したとき等の必要時に、右折、左折等を指示する案内音声をスピーカ１４に出力させる処理である。
【００３５】
メモリ地点登録処理は、操作スイッチ群１３に対するユーザの操作に基づいて、地図上の１点または１つの施設を特定してメモリ地点とし、上述のメモリ地点データに、当該メモリ地点の地点レコードを追加登録する処理である。具体的には、ユーザの操作に基づいて特定した1点または施設の位置情報、および施設データから取得可能であれば施設名称、施設の地番、施設種別を含む地点レコードを、地図データ取得部１７中のメモリ地点データに追加記録する。
【００３６】
メモリ地点編集処理は、操作スイッチ群１３に対するユーザの操作に基づいて、登録されたメモリ地点のうち１つについて、そのメモリ地点の情報の編集（すなわち、変更、削除、または追加）を行う処理である。例えば、メモリ地点データ中の１つのレコードに、ユーザが入力した付加情報を追加する。
【００３７】
全般設定処理は、車両用ナビゲーション装置１の作動の全般に対するユーザの設定を受け付けるための処理である。
【００３８】
以下、メモリ地点編集処理の詳細について説明する。このメモリ地点編集処理のために、制御回路１８は、図３に示すプログラム１００を実行する。制御回路１８は、ユーザが操作スイッチ群１３を操作して、メモリ地点編集処理の開始の要求および編集対象のメモリ地点の指定を行ったことに基づいて、プログラム１００の実行を開始する。
【００３９】
ここで、編集対象のメモリ地点の指定は、操作スイッチ群１３を用いて名称、地番、電話番号等のメモリ地点を特定する情報を入力することで実現してもよいし、制御回路１８が画像表示装置１２に複数のメモリ地点をリスト表示させ、ユーザがそれら複数のメモリ地点のうちの１つを操作スイッチ群１３を用いて選択することで実現してもよいし、制御回路１８が画像表示装置１２に地図を表示させ、その地図上のメモリ地点に相当するアイコンを、操作スイッチ群１３を用いて選択することで実現してもよい。
【００４０】
そして制御回路１８は、プログラム１００の実行において、まずステップ１１０で、グラフィカルユーザインターフェースとして機能する登録受付画面を画像表示装置１２に表示させる。
【００４１】
図４に、この登録受付画面３０を示す。この登録受付画面３０は、ユーザが操作スイッチ群１３を操作することによって選択可能なボタン３１、３２、３６、３７、３８およびユーザが操作スイッチ群１３を操作することによって文字入力を行うことができるフィールド３３、３４、３５を有している。制御回路１８は、編集対象のメモリ地点（以下、対象メモリ地点という）の名称情報がメモリ地点データに含まれていれば、当該名称を名称フィールド３３に表示させる。また、対象メモリ地点の地番情報がメモリ地点データに含まれていれば、当該地番を地番フィールド３４に表示させる。また、対象メモリ地点の電話番号情報がメモリ地点データに含まれていれば、当該電話番号を電話番号フィールド３５に表示させる。また、対象メモリ地点のアイコン種別情報がメモリ地点データに含まれていれば、当該アイコン種別に相当する画像をアイコンボタン３６に表示させる。
【００４２】
続いてステップ１２０では、上記ボタン３１、３２、３６、３７、３８およびフィールド３３、３４、３５に対するユーザの操作に基づいて、対象メモリ地点の情報の編集を受け付ける。具体的には、ユーザが名称フィールド３３に文字列を入力することに基づいて、当該文字列を対象メモリ地点の新たな名称として受け付ける。また、ユーザが地番フィールド３４に文字列を入力することに基づいて、当該文字列を対象メモリ地点の新たな地番として受け付ける。また、ユーザが電話番号フィールド３５に数字を示す文字列を入力することに基づいて、当該文字列を対象メモリ地点の新たな電話番号として受け付ける。
【００４３】
また、ユーザがアイコンボタン３６を選択することに基づいて、制御回路１８は、アイコン種別の選択を受け付けるための表示を画像表示装置１２に行わせ、さらに、その表示を利用してユーザが操作スイッチ群１３を操作して特定のアイコン種別を選択したことに基づいて、当該特定のアイコン種別を対象メモリ地点の新たなアイコン種別として受け付ける。
【００４４】
また、ユーザが付加情報カテゴリボタン３７を選択することに基づいて、制御回路１８は、付加情報カテゴリの選択を受け付けるための表示を画像表示装置１２に行わせる。この表示は、図５に示すように、プルダウンメニュー３７１を、登録受付画面３０に重ねるような形式で、かつ、付加情報カテゴリボタン３７から下に伸びるような形式で、実現させる。このプルダウンメニュー３７１は、複数のメニュー項目３７１ａ〜ｆを含んでおり、それぞれが、付加情報カテゴリの１つに該当する。具体的には、“行きたい度”、“一緒に行く人のニーズ”、“行く目的”、“季節”、“天気”、“期限”の表示を有するメニュー項目３７１ａ〜ｆが、それぞれ、訪問欲求度、同行者条件、訪問目的条件、季節条件、天候条件、期間条件のカテゴリに相当する。
【００４５】
ユーザが、操作スイッチ群１３を用いてプルダウンメニュー３７１中のメニュー項目３７１ａ〜ｆのうちいずれか１つを選択することに基づいて、制御回路１８は、選択されたメニュー項目に対応する付加情報カテゴリを、図６に示すように、付加情報カテゴリボタン３７中に表示させることで、当該選択を受け付ける。
【００４６】
また、付加情報カテゴリの選択に続いて、ユーザが付加情報値ボタン３８を選択することに基づいて、制御回路１８は、先に選択された付加情報カテゴリについての値の選択を受け付けるための表示を画像表示装置１２に行わせる。この表示は、図７に示すように、プルダウンメニュー３８１を、登録受付画面３０に重ねるような形式で、かつ、付加情報値ボタン３８から下に伸びるような形式で、実現させる。このプルダウンメニュー３８１は、複数のメニュー項目３８１ａ〜ｅを含んでおり、それぞれが、選択された付加情報カテゴリの値の１つに該当する。
【００４７】
ユーザが、操作スイッチ群１３を用いてプルダウンメニュー３８１中のメニュー項目３８１ａ〜ｅのうちいずれか１つを選択することに基づいて、制御回路１８は、選択されたメニュー項目に対応する付加情報の値を、図８に示すように、付加情報値ボタン３８中に表示させることで、当該選択を受け付ける。
【００４８】
また、制御回路１８は、ユーザがＯＫボタン３２を選択したことに基づいて、ステップ１３０を実行し、また、ユーザが戻るボタン３１を選択したことに基づいて、受け付けた対象メモリ地点の情報の編集結果を、メモリ地点データに反映させないまま、その編集結果を破棄し、その後プログラム１００の実行を終了する。
【００４９】
ステップ１３０では、受け付けた対象メモリ地点の情報の編集結果を、メモリ地点データに反映させる。具体的には、メモリ地点データ中の対象メモリ地点の地点レコードに、受け付けた編集結果を上書き記録する。ステップ１３０の後、プログラム１００の実行を終了する。
【００５０】
以上のようなプログラム１００を制御回路１８に実行させることで、車両用ナビゲーション装置１は、複数のメモリ地点のそれぞれについて、当該メモリ地点を訪問することの適切さについての付加情報の、ユーザによる入力を、グラフィカルユーザインターフェースを用いてインタラクティブに受け付け（ステップ１１０、１２０参照）、受け付けた入力に係る付加情報を、当該メモリ地点を特定する情報と関連付けて、メモリ地点データの１つのレコードに記録する（ステップ１３０参照）。なお、ユーザによって設定されなかった付加情報値の値は、デフォルト値となる。
【００５１】
また、全般設定処理において、制御回路１８は、図９に示すような設定画面７０を画像表示装置１２に表示させる。設定画面７０は、設定項目のリスト、および、リストの各項目中等に設けられた、ユーザが操作スイッチ群１３を用いて選択可能なボタン７１〜７８を有している。ユーザがボタン７２ａ、７２ｂ、または７２ｃを選択することに基づいて、制御回路１８は、地図と共に画像表示装置１２に表示させる文字のサイズをそれぞれ大、中、小のサイズに変更する。また、ユーザがボタン７３ａまたは７３ｂを選択することに基づいて、都市高速道路のマップの自動表示機能のオンまたはオフを行う。また、ユーザがボタン７４ａ、７４ｂを選択することに基づいて、レーンリスト自動表示機能のオンまたはオフを行う。また、ユーザがボタン７５を選択することに基づいて、到着予想時刻表示のオン、オフを切り替える。また、ユーザがボタン７７、７８を選択することに基づいて、設定項目のリストを上または下にスクロールさせる。このとき、そのスクロールの結果に応じてスクロールインジケータ７９の表示を変化させる。
【００５２】
また、ユーザがボタン７６ａを選択したことに基づいて、制御回路１８は画像表示装置１２に図１０に示す距離設定画面８０を表示させる。この距離設定画面８０は、表示部８１、８２、および、ユーザが操作スイッチ群１３を用いて選択可能なボタン８３〜８５を有している。ユーザが、ボタン８３または８４を選択することに基づいて、制御回路１８は、表示部８１内の距離を示す数値を所定量（例えば１００メートル）だけそれぞれ増加または減少させる。また、ユーザが、ボタン８５を選択することに基づいて、現在表示部８１に表示されている距離を、閾値距離として受け付け、続いて図９の設定画面７０を再表示させ、ボタン７６ａ内に、その受け付けた閾値距離を表示させ、さらに、この閾値距離を地図データ取得部１７に記録する。
【００５３】
また、ユーザがボタン７６ｂを選択したことに基づいて、制御回路１８は、ボタン７６ｂをボタン７６ａよりも目立つように表示させ、さらに、地図データ取得部１７に記録された閾値距離を消去するか、あるいは、閾値距離なしの旨のデータで当該閾値距離の値を上書きする。このような全般設定処理を制御回路１８に行わせることで、車両用ナビゲーション装置１は、閾値距離のユーザによる入力を、グラフィカルユーザインターフェースを用いてインタラクティブに受け付け、受け付けた入力に係る閾値距離のデータ、または閾値距離がない旨のデータを記録する。
【００５４】
また、ユーザが設定画面７０のボタン７１を選択することに基づいて、制御回路１８は、全般設定処理を終了する。
【００５５】
次に、目的地特定処理について説明する。制御回路１８は、目的地特定処理の開始のための所定の操作が操作スイッチ群１３に対して行われたことに基づいて、まず図１１に示すような目的地設定画面４９を、画像表示装置１２に表示させる。目的地設定画面４９は、ユーザが操作スイッチ群１３を用いて選択することができるボタン５０〜５９を有している。ボタン５１〜５５のうちいずれかをユーザが選択したことに基づいて、制御回路１８は、施設名称の５０音入力に基づく施設検索、施設リスト表示を利用した施設検索、地番入力に基づく施設検索、または郵便番号に基づく施設検索を行うようになっている。なお、これらの場合の施設検索は、制御回路１８中の地図データに記録された施設の検索である。
【００５６】
また、ボタン５７、５８、５９のうちいずれかをユーザが選択したことに基づいて、制御回路１８は、過去に設定した目的地のリストに基づくユーザの地点選択のための処理、現在位置の周辺の地点リストに基づくユーザの地点選択のための処理、または、目的地特定処理の実行直前に画像表示装置１２が表示していた地図に基づくユーザの地点選択のための処理を行うようになっている。  
【００５７】
また、ボタン５６をユーザが選択したことに基づいて、制御回路１８は、メモリ地点から検索した地点を目的地とするための処理を実行する。制御回路１８は、この処理のために、図１２に示すプログラム２００を繰り返し実行する。このプログラム２００の実行において、制御回路１８は、まずステップ２１０で、ユーザによる操作スイッチ群１３を用いた検索条件の入力を受け付ける。
【００５８】
具体的には、まず図１３に示すようなメモリ地点リスト表示画面６０を画像表示装置１２に表示させる。このメモリ地点リスト表示画面６０は、ユーザが操作スイッチ群１３を用いて選択することができるボタン６１〜６９に加え、スクロールインジケータ９５、リスト項目９６ａ〜ｅを有している。リスト項目９６ａ〜ｅのそれぞれは、リスト表示中の１つのメモリ地点を示す。また、ユーザがボタン６８、６９を選択することに基づいて、メモリ地点のリスト９６ａ〜ｅを上または下にスクロールさせる。このとき、そのスクロールの結果に応じてスクロールインジケータ９５の表示を変化させる。
【００５９】
また、ユーザが戻るボタン６７を選択したことに基づいて、制御回路１８は、目的地設定画面４９を再度画像表示装置１２に表示させる。また、ユーザが種別順ボタン６３を選択したことに基づいて、メモリ地点のリスト表示の順序付けに用いる指標として、メモリ地点の施設種別の情報を採用する。また、ユーザがマーク順ボタン６４を選択したことに基づいて、メモリ地点のリスト表示の順序付けに用いる指標として、メモリ地点のアイコン種別の情報を採用する。また、ユーザが登録順ボタン６５を選択したことに基づいて、メモリ地点のリスト表示の順序付けに用いる指標として、メモリ地点の登録日時の情報を採用する。また、ユーザが距離順ボタン６６を選択したことに基づいて、メモリ地点のリスト表示の順序付けに用いる指標として、メモリ地点の現在位置からの距離の情報を採用する。
【００６０】
また、ユーザが付加情報カテゴリボタン６１を選択したことに基づいて、制御回路１８は、付加情報カテゴリの選択を受け付けるための表示を画像表示装置１２に行わせる。この表示は、図１４に示すように、プルダウンメニュー６１１を、メモリ地点リスト表示画面６０に重ねるような形式で、かつ、付加情報カテゴリボタン６１から下に伸びるような形式で、実現させる。このプルダウンメニュー６１１は、複数のメニュー項目６１１ａ〜ｅ、それぞれが、付加情報カテゴリの１つに該当する。
【００６１】
ユーザが、操作スイッチ群１３を用いてプルダウンメニュー６１１中のメニュー項目６１１ａ〜ｅのうちいずれか１つを選択することに基づいて、制御回路１８は、選択されたメニュー項目に対応する付加情報カテゴリを、図１５に示すように、付加情報カテゴリボタン６１中に表示させることで、当該選択を受け付ける。
【００６２】
また、付加情報カテゴリの選択に続いて、付加情報値ボタン６２を選択することに基づいて、制御回路１８は、先に選択された付加情報カテゴリについての値の選択を受け付けるための表示を画像表示装置１２に行わせる。この表示は、図１６に示すように、プルダウンメニュー６２１として、メモリ地点リスト表示画面６０に重ねるような形式で、かつ、付加情報値ボタン６２から下に伸びるような形式で、実現させる。このプルダウンメニュー６２１は、複数のメニュー項目メニュー項目６２１ａ〜ｅを含んでおり、それぞれが、選択された付加情報カテゴリの値の１つに該当する。
【００６３】
ユーザが、操作スイッチ群１３を用いてプルダウンメニュー６２１中のメニュー項目６２１ａ〜ｅのうちいずれか１つを選択することに基づいて、制御回路１８は、選択されたメニュー項目に対応する付加情報の値を、図１７に示すように、付加情報値ボタン６２中に表示させることで、当該選択を受け付ける。
【００６４】
制御回路１８は、ステップ２２０において、付加情報カテゴリと付加情報値の絞り込み条件の組の選択を受け付けた場合と、メモリ地点のリスト表示の順序付けに用いる指標を１つ採用した場合のいずれの場合にも、続いてステップ２２０を実行する。
【００６５】
ステップ２２０では、現在選択を受け付けている付加情報カテゴリと付加情報値の絞り込み条件の組があれば、その組に基づいて、メモリ地点の絞り込みを行う。具体的には、図１８に示すように、まずステップ２１２で、付加情報カテゴリが設定済みであるか否か、すなわち、付加情報カテゴリの選択を既に受け付けているか否かを判定する。設定済みであると判定すると、続いてステップ２１４で、付加情報値が設定済みであるか否か、すなわち、付加情報値の選択を既に受け付けているか否かを判定する。設定済みであると判定すると、続いてステップ２１６で、メモリ地点データ中の当該付加情報カテゴリについての値と、設定済みであると判定した付加情報値とを比較することで、メモリ地点を絞り込み、複数のメモリ地点を抽出する。
【００６６】
例えば、選択を受け付けた付加情報カテゴリが訪問者欲求度であり、選択を受け付けた付加情報値が３である場合、抽出するメモリ地点は、訪問者欲求度の値が３となっているメモリ地点のみとしてもよい。あるいはこの場合、抽出するメモリ地点は、訪問者欲求度の値が３以上となっているメモリ地点のみとしてもよい。
【００６７】
また例えば、選択を受け付けた付加情報カテゴリが同行者条件であり、選択を受け付けた付加情報値が“友達と行く”である場合、抽出するメモリ地点は、同行者条件の値が“友達と行く”となっているメモリ地点のみとする。
【００６８】
また例えば、選択を受け付けた付加情報カテゴリが期間条件であり、選択を受け付けた付加情報値が“４月１日”である場合、抽出するメモリ地点は、同行者条件の値が４月１日を含む期間となっているメモリ地点のみとする。
【００６９】
なお、ステップ２１２または２１４で判定結果が否定的である場合、制御回路１８は絞り込みを行わずに続いて図１２のステップ２３０を実行する。
【００７０】
このようになっているので、選択を受け付けた付加情報カテゴリについての付加情報値がデフォルト値となっているメモリ地点は、絞り込み対象から除外され、選択されなくなる。
【００７１】
続いてステップ２３０では、メモリ地点のリスト表示の順序付けに用いる指標として最も後に採用されたものに基づいて、ステップ２２０で絞り込まれた結果のメモリ地点の表示順序を決定する。例えば、メモリ地点のリスト表示の順序付けに用いる指標として最も後に採用されたものが、距離である場合、現在位置から近い順に、絞り込まれたメモリ地点を順位付けする。
【００７２】
続いてステップ２４０においては、上述の全般設定処理によって距離閾値が設定されているか否かを、地図データ取得部１７中に距離閾値の値が記録されているか否かに基づいて判定する。距離閾値が設定されていないと判定した場合、続いてステップ２６０において、ステップ２２０で絞り込まれた結果のメモリ地点群を、ステップ２３０で決定した順序で、メモリ地点リスト表示画面６０のリスト項目９６ａ〜ｅの部分に、スクロール可能にリスト表示する。
【００７３】
ステップ２４０で、距離閾値が設定されていると判定した場合、続いてステップ２５０で、当該距離閾値に基づいて、さらにメモリ地点を絞り込む。具体的には、ステップ２２０で絞り込まれ、ステップ２３０で順序を決められたメモリ地点のうち、現在位置から当該距離閾値より離れているメモリ地点を除外し、その除外によって絞り込まれたメモリ地点のみで順序を詰める。そしてさらにステップ２４０では、このようにして絞り込まれて順序を詰めたメモリ地点群を、当該順序で、メモリ地点リスト表示画面６０のリスト項目９６ａ〜ｅの部分に、スクロール可能にリスト表示する。ステップ２６０の後、プログラム２００の１回分の実行が終了する。
【００７４】
以上のようなプログラム２００を制御回路１８に繰り返し実行させることで、車両用ナビゲーション装置１は、付加情報についてのメモリ地点の選択条件を受け付ける度に（ステップ２１０参照）、その選択条件を、メモリ地点データ中の付加情報等に適用することで、メモリ地点の一部を選択し（ステップ２２０参照）、その選択した一部をリスト表示形式でユーザに提示する（ステップ２６０参照）。また、そして、その表示順は、現在位置から近い順等、ユーザの設定する順序となる（ステップ２３０参照）。
【００７５】
このように、車両用ナビゲーション装置１は、ユーザから、各地点を訪問することの適切さについての付加情報を受けて記録し、その付加情報に基づく地点の選択を行う。したがって、車両用ナビゲーション装置１は、個々の地点に訪れることについてユーザが考える適切さを、情報提示の対象とする地点の選択に反映させることができる。
【００７６】
また、車両用ナビゲーション装置１は、付加情報に対する絞り込み条件の入力を受け付けるようになっている。したがって、車両用ナビゲーション装置１は、メモリ地点の編集時に受け付けた付加情報の入力に加え、さらに受け付けた絞り込み条件に基づいて、複数の地点のうち一部の地点を選択する。このようになっていることで、メモリ地点の編集のための付加情報の入力時、および、絞り込み条件の入力時の二度の機会において、ユーザは、訪問地点に対する自らの意向を直接入力することができる。
【００７７】
また、距離閾値が設定されていれば（ステップ２４０参照）、付加情報に基づいて選択されたメモリ地点のうち、現在位置からその距離閾値以内にあるメモリ地点のみ表示する（ステップ２５０参照）。このようになっていることで、車両用ナビゲーション装置１の所在位置に応じたより適切な地点の選択を行うことができるようになる。例えば、過去に高い訪問欲求度を設定したメモリ地点のうち、たまたま近くにある地点を容易に探し出し、その地点に向かうことができるようになる。
（第２実施形態）
次に、本発明の第２実施形態について説明する。第１実施形態においては、プログラム２００のステップ２１０において、付加情報カテゴリと付加情報値の絞り込み条件の組を１つだけ設定できるようになっている。しかし、本実施形態では、付加情報カテゴリと付加情報値の絞り込み条件の組を複数設定できるようになっている。具体的には、本実施形態が第１実施形態と異なるのは、制御回路１８が、プログラム２００のステップ２１０において、図１９、２０に示すようなメモリ地点リスト表示画面６０’および複合検索条件設定画面９０を表示させ、さらに、プログラム２００のステップ２２０において、図１８に示した処理ではなく、図２１に示すような処理を実行することである。
【００７８】
より詳しくは、制御回路１８は、まずプログラム２００のステップ２１０で、図１９に示すようなメモリ地点リスト表示画面６０’を画像表示装置１２に表示させる。このメモリ地点リスト表示画面６０’が図１３に示したメモリ地点リスト表示画面６０と異なるのは、付加情報カテゴリボタン６１および付加情報値ボタン６２に変えて、ユーザが操作スイッチ群１３を用いて選択できる付加情報条件設定ボタン９７を有することである。
【００７９】
ユーザが付加情報条件設定ボタン９７を選択することに基づいて、制御回路１８は続いて図２０に示す複合検索条件設定画面９０を画像表示装置１２に表示させる。この複合検索条件設定画面９０は、ユーザが選択可能なボタン９１、９２、９３ａ〜ｆ、および付加情報カテゴリ表示画像９４ａ〜ｆを有している。付加情報値設定ボタン９３ａ〜ｆのそれぞれは、訪問欲求度、同行者条件、訪問目的条件、季節条件、天候条件、および期間条件に対応したボタンである。
【００８０】
付加情報値設定ボタン９３ａ〜ｆのうち１つを選択したことに基づいて、制御回路１８は、当該付加情報値設定ボタンが対応する付加情報カテゴリの値を示すプルダウンメニューを表示させ、そのプルダウンメニューのうちの１つの値をユーザが選択したことに基づいて、その選択された値を、当該付加情報カテゴリに関する絞り込み条件として受け付ける。複合検索条件設定画面９０を利用して、このような付加情報値設定ボタンの選択受付、および当該付加情報カテゴリに関する絞り込み条件の受付を繰り返すことで、制御回路１８は、一度に複数組の付加情報カテゴリと付加情報値の絞り込み条件の組の設定を受け付けることができる。なお、絞り込み条件の設定を受け付けなかった組についての付加情報値の絞り込み条件は、デフォルト値、すなわち、絞り込みを行わない旨の値となる。
【００８１】
また、制御回路１８は、ユーザがＯＫボタン９２を選択したことに基づいて、この複合検索条件設定画面９０を介して受け付けた１つ以上の付加情報カテゴリと付加情報値の組の情報を保持したまま、再度メモリ地点リスト表示画面６０’を表示させ、続いてステップ２２０を実行する。また、ユーザが戻るボタン９１を選択したことに基づいて、この複合検索条件設定画面９０を介して受け付けた付加情報を破棄し、再度メモリ地点リスト表示画面６０’を表示させる。
【００８２】
ステップ２２０においては、図２１に示すように、まずステップ３１０で、複数選択された組のうち、１つの付加情報カテゴリに対応する組を選択する。続いてステップ３２０では、選択された組についての付加情報値の絞り込み条件は、デフォルト値であるか否かを判定する。デフォルト値であれば、続いてステップ３６０を実行し、デフォルト値でなければ続いてステップ３４０を実行する。
【００８３】
ステップ３４０では、選択された組についての付加情報値の絞り込み条件に従って、メモリ地点データのうち一部を選択する。続いてステップ３５０では、すべての付加情報カテゴリについての組を選択したか否かを判定し、選択していればステップ３６０を実行し、選択していなければステップ３６０を実行する。ステップ３６０では、まだ選択されていない付加情報カテゴリについての組を選択し、続いてステップ３２０を再度実行する。
【００８４】
ステップ３７０では、ステップ３２０〜３６０の一連の繰り返しにおいて、ステップ３４０で絞り込まれた結果のメモリ地点をまとめる。まとめる方法としては、それらの絞り込みの積集合を抽出する方法を用いてもよいし、和集合を抽出する方法を用いてもよい。積集合を抽出する場合、絞り込みの結果のすべてにおいて含まれるメモリ地点のみ、選択されたメモリ地点とする。和集合を抽出する場合、絞り込みの結果のいずれか１つにでも含まれるメモリ地点を、選択されたメモリ地点とする。
【００８５】
また、複数の絞り込み結果の和集合と積集合の組み合わせの結果の集合を抽出するようになっていてもよい。具体的には、訪問欲求度によって絞り込まれたメモリ地点と同行者条件によって絞り込まれたメモリ地点の積集合と、天候条件によって絞り込まれたメモリ地点と季節条件によって絞り込まれたメモリ地点の積集合と、の和集合を、選択されたメモリ地点としてもよい。また、複数の絞り込み結果をどのようにまとめるかについて、ユーザが設定することができるようになっていてもよい。ステップ３７０の後、プログラム２００のステップ２２０の実行が終了する。
【００８６】
以上のように、ステップ２２０では、複数選択された組のそれぞれについて（ステップ３１０、３５０、３６０参照）、当該組の付加情報値の絞り込み条件を特定し（ステップ３２０）、その絞り込み条件に従ってメモリ地点を絞り込む（ステップ３４０参照）。そして、複数の絞り込みの結果をまとめ、そのまとめた結果を、選択されたメモリ地点群とする（ステップ３７０参照）。
【００８７】
なお、上記の各実施形態において、車両用ナビゲーション装置１が、地点情報提示装置の一例に相当し、プログラム１００および２００が地点情報提示プログラムの一例に相当する。また、車両用ナビゲーション装置１の制御回路１８が、プログラム１００のステップ１１０および１２０を実行することで訪問適切性情報受付手段の一例として機能し、ステップ１３０を実行することで記録手段の一例として機能し、プログラム２００のステップ２１０を実行することで絞込条件受付手段の一例として機能し、ステップ２２０〜２５０を実行することで選択手段の一例として機能し、ステップ２６０を実行することで情報提示手段の一例として機能する。また、位置検出器１１が、現在位置特定手段の一例として機能する。
（他の実施形態）
以上、本発明の実施形態について説明したが、本発明の範囲は、上記実施形態のみに限定されるものではなく、本発明の各発明特定事項の機能を実現し得る種々の形態を包含するものである。
【００８８】
例えば、訪問欲求度については、付加情報値のデフォルト値が、１となっていてもよい。
【００８９】
また、制御回路１８は、メモリ地点登録処理において、メモリ地点の登録と共に、当該メモリ地点の付加情報の登録を受け付けるようになっていてもよい。
【００９０】
また、制御回路１８は、メモリ地点編集処理においても、第２実施形態における付加情報値の絞り込み条件のように、１度に複数の付加情報カテゴリについての付加情報値の入力を受け付けるようになっていてもよい。
【００９１】
また、制御回路１８は、目的地特定処理において、必ずしも、付加情報値の絞り込み条件のユーザによる設定を受け付けなくともよい。たとえば、ユーザが絞り込み条件を入力せずとも、自動的に訪問欲求度の高さで順位づけし、その上位を選択して画像表示装置１２に表示させるようになっていてもよい。
【００９２】
また、なお、付加情報を記録する記憶媒体は、地図データ取得部１７でなくとも、例えば、図示しないＥＥＰＲＯＭに記録されてもよい。
【００９３】
また、制御回路１８は、ステップ２６０において、選択されたメモリ地点の情報を、当該メモリ地点のそれぞれについての付加情報と共に、ユーザに提示するようになっていてもよい。このようになっていることで、ユーザは、自らが過去に入力した付加情報を、再度確認することができるようになる。
【００９４】
また、付加情報カテゴリは、訪問欲求度、同行者条件、訪問目的条件、季節条件、天候条件、期限条件のみならず、対象となるメモリ地点を訪問することの適切さについての情報ならどのようなものでもよい。
【００９５】
また、本発明の対象は、車両用ナビゲーション装置に限らない。地点の情報を表示する地点情報提示装置であれば、どのような装置に適用することができる。
【図面の簡単な説明】
【００９６】
【図１】本発明の実施形態に係る車両用ナビゲーション装置１のハードウェア構成図である。
【図２】複数の付加情報カテゴリと、それら付加情報カテゴリについての評価値の例とを対応付けた図表である。
【図３】制御回路１８が実行するプログラム１００のフローチャートである。
【図４】登録受付画面３０を示す図である。
【図５】登録受付画面３０を示す図である。
【図６】登録受付画面３０を示す図である。
【図７】登録受付画面３０を示す図である。
【図８】登録受付画面３０を示す図である。
【図９】設定画面７０を示す図である。
【図１０】距離設定画面８０を示す図である。
【図１１】目的地設定画面４９を示す図である。
【図１２】制御回路１８が実行するプログラム２００のフローチャートである。
【図１３】メモリ地点リスト表示画面６０を示す図である。
【図１４】メモリ地点リスト表示画面６０を示す図である。
【図１５】メモリ地点リスト表示画面６０を示す図である。
【図１６】メモリ地点リスト表示画面６０を示す図である。
【図１７】メモリ地点リスト表示画面６０を示す図である。
【図１８】プログラム２００のステップ２２０の処理の詳細を示すフローチャートである。
【図１９】メモリ地点リスト表示画面６０’を示す図である。
【図２０】複合検索条件設定画面９０を示す図である。
【図２１】第２実施形態におけるプログラム２００のステップ２２０の処理を示すフローチャートである。
【符号の説明】
【００９７】
１…車両用ナビゲーション装置、１１…位置検出器、１２…画像表示装置、
１３…操作スイッチ群、１４…スピーカ、１５…ＲＡＭ、１６…ＲＯＭ、
１７…地図データ取得部、１８…制御回路、３０…登録受付画面、
３１、６７、９１…戻るボタン、３２、９２…ＯＫボタン、３３…名称フィールド、
３４…地番フィールド、３５…電話番号フィールド、３６…アイコンボタン、
３７…付加情報カテゴリボタン、３８…付加情報値ボタン、４９…目的地設定画面、
５０〜５９、７０〜７８、８３〜８５…ボタン、
６０、６０’…メモリ地点リスト表示画面、６１…付加情報カテゴリボタン、
６２…付加情報値ボタン、６３…種別順ボタン、６４…マーク順ボタン、
６５…登録順ボタン、６６…距離順ボタン、６８…上スクロールボタン、
６９…下スクロールボタン、７０…設定画面、７９、９５…スクロールインジケータ、
８０…距離設定画面、８１、８２…表示部、９０…複合検索条件設定画面、
９３ａ〜ｆ…付加情報値設定ボタン、９４ａ〜ｆ…付加情報カテゴリ表示画像、
９６ａ〜ｅ…リスト項目、９７…付加情報条件設定ボタン、
１００、２００…プログラム、
３７１、３８１、６１１、６２１…プルダウンメニュー、
３７１ａ〜ｆ、３８１ａ〜ｆ、６１１ａ〜ｆ、６２１ａ〜ｆ…メニュー項目。
【図１】
2008008648.tif 000003
【図２】
2008008648.tif 000004
【図３】
2008008648.tif 000005
【図４】
2008008648.tif 000006
【図５】
2008008648.tif 000007
【図６】
2008008648.tif 000008
【図７】
2008008648.tif 000009
【図８】
2008008648.tif 000010
【図９】
2008008648.tif 000011
【図１０】
2008008648.tif 000012
【図１１】
2008008648.tif 000013
【図１２】
2008008648.tif 000014
【図１３】
2008008648.tif 000015
【図１４】
2008008648.tif 000016
【図１５】
2008008648.tif 000017
【図１６】
2008008648.tif 000018
【図１７】
2008008648.tif 000019
【図１８】
2008008648.tif 000020
【図１９】
2008008648.tif 000021
【図２０】
2008008648.tif 000022
【図２１】
2008008648.tif 000023